(57)【要約】【課題】携帯用端末機の小型化及び端末機に装着するのに容易なカメラレンズアセンブリのシャッター装置を提供すること。【解決手段】本発明は、カメラレンズアセンブリのシャッター装置であって、シャッターブレードが回転可能に装着されるシャッターベースと、シャッターベースに移動可能に取り付けられ、前記シャッターブレードを回転させる磁性体と、カメラレンズアセンブリの長手方向に延び、磁性体と対向して取り付けられるヨークと、を含み、シャッターベースの移動範囲はヨークの長さの範囲以内であることを特徴とする。【選択図】図１
2006189792.tif 000002
【特許請求の範囲】
【請求項１】
カメラレンズアセンブリのシャッター装置であって、
シャッターブレードが回転可能に装着されるシャッターベースと、
前記シャッターベースに移動可能に取り付けられ、前記シャッターブレードを回転させる磁性体と、
前記カメラレンズアセンブリの長手方向に伸び、前記磁性体と対向するように取り付けられるヨークと、を含み、
前記シャッターベースの移動範囲は前記ヨークの長さの範囲以内であることを特徴とするカメラレンズアセンブリのシャッター装置。
【請求項２】
前記シャッターベースは、前記カメラレンズアセンブリの長手方向に沿って線形的に移動可能であることを特徴とする、請求項１記載のカメラレンズアセンブリのシャッター装置。
【請求項３】
前記ヨークの一面から延びて電子コイルが巻き取られる誘導体をさらに備え、
前記ヨークはＴ字形状をなすことを特徴とする、請求項１記載のカメラレンズアセンブリのシャッター装置。
【請求項４】
前記磁性体は、前記シャッターベースに回転可能に結合され、前記電子コイルに電流が印加されることによって、前記ヨークと磁性体との間に作用する引力と斥力によって前記磁性体が移動することを特徴とする、請求項１記載のカメラレンズアセンブリのシャッター装置。
【請求項５】
前記磁性体から延びて前記シャッターブレードを貫通する駆動ピンと、
前記シャッターブレードに形成され、前記駆動ピンがその内部に位置づけられる長孔形状の駆動孔と、
をさらに備えることを特徴とする、請求項４記載のカメラレンズアセンブリのシャッター装置。
【請求項６】
前記磁性体の両側端を貫通するように結合され、その両端が前記シャッターベースに支持される回転ピンをさらに備えることを特徴とする、請求項４記載のカメラレンズアセンブリのシャッター装置。
【請求項７】
前記シャッターブレードは、その一対が対称に設置され、相互に重なる状態で光経路を閉鎖し、相互に離れるように位置づけられる状態で光経路を開放することを特徴とする、請求項１記載のカメラレンズアセンブリのシャッター装置。
【請求項８】
前記カメラレンズアセンブリの長手方向に延びるガイドレールと、
前記シャッターベースの外周面に形成され、前記ガイドレールが貫通するように結合されるとともに、前記ガイドレールで摺動する少なくとも一つ以上のガイドアームと、
をさらに備えることを特徴とする、請求項１記載のカメラレンズアセンブリのシャッター装置。
【請求項９】
前記シャッターベースに対向するように形成される一対の支持リブをさらに備え、
前記磁性体は前記支持リブ間に装着されることを特徴とする、請求項１記載のカメラレンズアセンブリのシャッター装置。
【請求項１０】
前記シャッターブレードは、前記支持リブの上端に装着されることを特徴とする、請求項９記載のカメラレンズアセンブリのシャッター装置。
【発明の詳細な説明】
【技術分野】
【０００１】
本発明はカメラレンズアセンブリに関するもので、特に、小型化及び携帯用端末機などに装着するのに容易なカメラレンズアセンブリのシャッター装置に関するものである。
【背景技術】
【０００２】
通常、カメラレンズアセンブリは、撮影しようとする画像の品質を確保するためにレンズアセンブリ、絞り(diaphragm)、シャッター装置などを備える。最近では、デジタルカメラの普及により、カメラの使用が日常化されてきている。
【０００３】
また、携帯用端末機の通信技術は、持続的な発展により、音声通話サービス、メッセージ伝送サービスのような単純通信機能から、モバイルバンキング(mobile banking)サービス、マルチメディアサービスなどにそのサービス領域が 急速に拡大している。移動通信サービスの領域以外にも、携帯用端末機にはカメラレンズアセンブリが装着され、その性能がだんだん向上しつつ、携帯用端末機は、デジタルカメラ市場に進出してその一部分を占めるようになった。
【０００４】
携帯用端末機に装着されるカメラレンズアセンブリは、初期に０.３メガ画素を有するイメージセンサーを使用したが、最近では１メガ画素以上の高性能(high-quality)イメージセンサーを装着するようになった。また、イメージセンサーの仕様が徐々に向上するに従って、携帯用端末機に設けられるカメラレンズアセンブリにズーム(ｚｏｏｍ)機能とシャッター装置などを取り付けるようになった。しかしながら、このような努力は、携帯用端末機の特性上、携帯性を考慮した小型化の傾向による制約のため、相当困難であった。
【０００５】
シャッター装置は、カメラレンズアセンブリで多様な位置に設置可能である。撮影される画像の中心と周囲でシャッター開閉時間の差なしに同時にシャッター動作が遂行されるためには、シャッター装置、特に、光経路を開閉するシャッターブレードは、絞りに隣接して位置づけることが望ましい。シャッター装置と絞りが相互に隣接して設置されたカメラレンズアセンブリにズーム機能が採用され、ズームイン(zoom-in)/ズームアウト(zoom-out)動作で絞りが共に移動する場合に、シャッター装置のシャッターブレードと共にシャッターブレードを駆動させるシャッター駆動部も移動すべきである。また、これらを駆動させるための、或いは、ズームイン/ズームアウト動作を実現するための他の駆動装置に要求される駆動力が増加するようになった。
【０００６】
したがって、このような駆動装置に対する要求条件の増加は、携帯用端末機にズーム機能とシャッター装置を取り付けるのにかなりの設置空間を要するため、携帯端末機の小型化に一層大きな障害となっている。
【発明の開示】
【発明が解決しようとする課題】
【０００７】
したがって、上記のような従来技術の問題点を解決するために、本発明は、携帯用端末機の小型化及び端末機に装着するのに容易なカメラレンズアセンブリのシャッター装置を提供することを目的とする。
【課題を解決するための手段】
【０００８】
上記の課題を実現するために、本発明は、カメラレンズアセンブリのシャッター装置であって、シャッターブレードが回転可能に装着されるシャッターベースと、前記シャッターベースに移動可能に取り付けられ、前記シャッターブレードを回転させる磁性体と、カメラレンズアセンブリの長手方向に延び、前記磁性体と対向するように取り付けられるヨークと、を含み、前記シャッターベースの移動範囲は前記ヨークの長さの範囲以内であることを特徴とする。
【発明の効果】
【０００９】
本発明は、高性能イメージセンサーを採用したカメラレンズアセンブリの性能を適切に実現するために、ズームイン/ズームアウト機能を採用すると同時にシャッター装置を備える。このとき、シャッターブレードが装着されたシャッターベースとシャッターブレードを回転させる駆動装置を別途に設置し、ズームイン/ズームアウトの動作時にシャッターベースのみを移動させることによって駆動装置の構成が単純化される。したがって、カメラレンズアセンブリは小型化に有利で、それによって、携帯用端末機だけでなく多様な他の電子機器に装着することが容易になるといった効果を奏する。また、シャッターブレードを駆動させつつ、シャッターベースに設けられる構成要素が単純化されることによって、シャッターブレードを絞りに隣接して取り付けることが容易である。なお、電子コイルの構成を調整すると、シャッターブレードの動作速度を改善することが容易であるといった効果も奏する。
【発明を実施するための最良の形態】
【００１０】
以下、本発明の望ましい実施形態を添付図面を参照して詳細に説明する。
【００１１】
下記に、本発明に関連した公知の機能或いは構成に関する具体的な説明は、本発明の要旨を不明にすると判断される場合には、その詳細な説明を省略する。
【００１２】
図１は、本発明の望ましい実施形態によるカメラレンズアセンブリのシャッター装置１００を示す斜視図である。図２は、図１に示すシャッター装置１００のシャッターベース１０１を示す斜視図である。図３は、図１に示すシャッター装置１００のヨーク１０２を示す斜視図である。
【００１３】
図１〜図３に示すように、本発明の望ましい実施形態によるカメラレンズアセンブリのシャッター装置１００は、シャッターベース１０１と、シャッターブレード１１５と、を備える。また、シャッター装置１００は、シャッターブレード１１５を駆動させるための磁性体１２５及びヨーク(yoke)１０２を含む。
【００１４】
シャッターベース１０１は、所定長さを有するシリンダー形状で、その上下端を貫通するように延びる光経路１１３を形成する。シャッターベース１０１は、その外周面に一対の支持リブ１１９と、少なくとも一つ以上のガイドアーム(guide arm)１１１と、を形成する。
【００１５】
支持リブ１１９は、磁性体１２５を移動可能に支持するように相互に対向して形成される。支持リブ１１９の上端は、相互に接続されてシャッターブレード１１５を設置可能な空間を画成する。
【００１６】
ガイドアーム１１１は、シャッターベース１０１の外周面に形成され、その端部にはシャッターベース１０１の長手方向に沿って貫通するようにガイド孔１１１ａを形成する。シャッターベース１０１は、カメラレンズアセンブリの長手方向に沿って摺動可能に設けられる。このとき、ガイドアーム１１１は、シャッターベース１０１の摺動(sliding movement)を案内する。シャッターベース１０１の摺動を円滑に、かつ、安定にするために、ガイドアーム１１１は一対に形成することが望ましい。ガイドレール１０４は、ガイド孔１１１ａに貫通して結合される。ガイドレール１０４は、ガイド孔１１１ａ内に摺動可能に結合され、ガイドアーム１１１及びシャッターベース１０１の摺動を案内する。
【００１７】
レンズアセンブリ１０３は、ガイドレール１０４に摺動可能に結合される。レンズアセンブリ１０３は、少なくとも一つ以上のレンズ(図示せず)が設けられる貫通孔１３３と、ガイドレール１０４に摺動可能に結合される他のガイドアーム１３１と、を含む。このレンズアセンブリ１０３は、シャッターベース１０１に類似した形状を有する。レンズアセンブリ１０３が、ガイドレール１０４の案内を受けてカメラレンズアセンブリの長手方向に移動することによって、ズームイン/ズームアウト機能を実現する。
【００１８】
このとき、カメラレンズアセンブリの絞り(図示せず)は、レンズアセンブリ１０３又はシャッターベース１０１内に設置される。
【００１９】
上記のように構成したシャッターベース１０１に、シャッターブレード１１５と磁性体１２５が設置される。
【００２０】
シャッターブレード１１５は、シャッターベース１０１の上端、より具体的には支持リブ１１９の上端に回転可能に設置される。シャッターブレード１１５は、一対が相互に対称を成す位置に設けられ、光経路１１３の上端を開閉させる。
【００２１】
シャッターブレード１１５は、磁性体１２５の移動により回転して光経路１１３を開閉させる。シャッターブレード１１５の回転軸に隣接する位置に所定長さだけ延びた長孔形状の駆動孔１１６が形成される。シャッター装置１００は、磁性体１２５から延びた駆動ピン１１７を備える。駆動ピン１１７は、シャッターブレード１１５に形成した駆動孔１１６を各々貫通するように設置される。したがって、磁性体１２５が移動すると、駆動ピン１１７はそれぞれのシャッターブレード１１５に形成された駆動孔１１６と噛み合って、磁性体１２５の移動によりシャッターブレード１１５を回転させる。
【００２２】
磁性体１２５は、支持リブ１１９の間に位置づけられる。支持リブ１１９の間に磁性体１２５を回転可能に結合するために、シャッター装置１００は、磁性体１２５の両側端の中心部を貫通するように延びた回転ピン１２７を含む。この回転ピン１２７の両端は、支持リブ１１９に各々支持される。したがって、磁性体１２５の上下端が、シャッターベース１０１の外周面に近接するか、或いは離れる方向に移動する。したがって、磁性体１２５から延びた駆動ピン１１７も磁性体１２５と共に移動し、それによってシャッターブレード１１５を回転させる。
【００２３】
ヨーク１０２は、シャッターベース１０１に隣接して設置され、磁性体１２５とも対向して設置される。ヨーク１０２は、シャッターベース１０１の移動方向に延び、シャッターベース１０１の移動範囲はヨーク１０２の長さの範囲以内に制限される。より具体的には、シャッターベース１０１の移動範囲は、磁性体１２５がヨーク１０２と対向する状態を外れない範囲に制限される。
【００２４】
誘導体１２１がヨーク１０２の一面に延び、それによってヨーク１０２はＴ字形状をなすようになる。誘導体１２１には電子コイル１２３が巻き取られ、この電子コイル１２３に電流が印加されると、ヨーク１０２に電場(electric field)が形成される。
【００２５】
ヨーク１０２に形成された電場は、磁性体１２５の磁場と作用して磁性体１２５を移動させる。すなわち、電子コイル１２３に印加される電流の極性により、ヨーク１０２に形成される電場の極性が形成され、ヨーク１０２に形成された電場と磁性体１２５の磁場が相互作用して、磁性体１２５を移動させる。
【００２６】
磁性体１２５は、Ｎ極とＳ極を有する一般的な永久磁石を使用することが望ましい。したがって、ヨーク１０２に形成した電場の極性に応じて磁性体１２５の一端から引力(attractive force)が発生し、他端からは斥力(repulsive force)が発生する。ヨーク１０２と磁性体１２５との間の引力と斥力によって磁性体１２５が移動すると、駆動ピン１１７も共に磁性体と移動してシャッターブレード１１５を回転させる。
【００２７】
このとき、カメラレンズアセンブリのズームイン/ズームアウト動作によりシャッターベース１０１が移動しても、磁性体１２５はヨーク１０２の一部分に対向して維持されるため、ユーザーは必要に応じてシャッター装置１００を動作させることができる。
【００２８】
以上、本発明の詳細な説明において具体的な実施形態に関して説明したが、本発明の範囲を外れない限り、様々な変形が可能であることは、当業者には自明である。
【図面の簡単な説明】
【００２９】
【図１】本発明の望ましい実施形態によるカメラレンズアセンブリのシャッター装置を示す斜視図である。
【図２】図１に示すシャッター装置のシャッターベースを示す斜視図である。
【図３】図１に示すシャッター装置のヨークを示す斜視図である。
【符号の説明】
【００３０】
１００  シャッター装置
１０１  シャッターベース
１０２  ヨーク
１０３  レンズアセンブリ
１０４  ガイドレール
１１１  ガイドアーム
１１１ａ  ガイド孔
１１３  光経路
１１５  シャッターブレード
１１６  駆動孔
１１７  駆動ピン
１１９  支持リブ
１２１  誘導体
１２３  電子コイル
１２５  磁性体
１２７  回転ピン
１３１  ガイドアーム
１３３  貫通孔
【図１】
2006189792.tif 000003
【図２】
2006189792.tif 000004
【図３】
2006189792.tif 000005